【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
プロセス制御情報を表示する方法において、
プロセッサーにおいて、第１モード要素の第１状態を受信するステップであって、前記第１モード要素が、プロセス制御装置の実体の現稼働状態を示すステップと、
前記プロセッサーにおいて、第２モード要素の第２状態を受信するステップであって、前記第２モード要素が、前記プロセス制御装置の前記実体の所望稼働状態を示すステップと、
前記第１状態と前記第２状態に基づいて、前記実体のモードを判定するステップであって、前記モードが、前記プロセス制御装置の前記実体の状態を示すステップと、更に、
前記プロセス制御装置の前記実体の前記モードをグラフィック表記として、ユーザ・インターフェース内で表示するステップとを含むことを特徴とする方法。
【請求項２】
前記第１状態が前記第２状態と一致した場合には、前記実体の前記モードは、正常稼働モードに相当することを特徴とする請求項１に記載の方法。
【請求項３】
前記実体の前記モードは、前記第１状態と前記第２状態を集約結果に纏めて、前記集約結果を前記プロセス制御装置の前記実体の所定モードと照合させることにより判定されることを特徴とする請求項１又は請求項２に記載の方法。
【請求項４】
前記第１状態、または、前記第２状態の少なくとも一方が、前記ユーザ・インターフェース、前記プロセス制御装置、または、データベースの少なくとも１つから受信されることを特徴とする請求項１〜請求項３の何れか１項に記載の方法。
【請求項５】
前記プロセス制御装置に関連する装置定義にアクセスしてから、前記第１状態と前記第２状態を所定モードと突き合わせて比較して、前記実体の前記モードを判定するステップを、更に含むことを特徴とする請求項１〜請求項４の何れか１項に記載の方法。
【請求項６】
前記プロセッサーにおいて、第３モード要素の第３状態を受信するステップであって、前記第３モード要素は、前記実体が正常状態内で稼働する際の前記実体の状態を示すステップと、更に、前記第１状態、前記第２状態、及び、前記第３状態に基づいて、前記プロセス制御装置の前記実体の前記モードを判定するステップとを、更に含むことを特徴とする請求項１〜請求項５の何れか１項に記載の方法。
【請求項７】
前記プロセッサーにおいて、第３モード要素の第１状態を受信するステップであって、前記第３モード要素が、前記プロセス制御装置の第２実体の現稼働状態を示すステップと、
前記プロセッサーにおいて、第４モード要素の第２状態を受信するステップであって、前記第４モード要素が、前記プロセス制御装置の前記第２実体の所望稼働状態を示すステップと、
前記第３モード要素の前記第１状態、及び、前記第４モード要素の前記第２状態に基づいて、前記第２実体の第２モードを判定するステップであって、前記第２モードが、前記プロセス制御装置の前記第２実体の状態を示すステップと、更に、
前記プロセス制御装置の前記第２実体の前記第２モードを第２グラフィック表記として、前記ユーザ・インターフェース内で表示するステップとを、更に含むことを特徴とする請求項１〜請求項６の何れか１項に記載の方法。
【請求項８】
前記実体の前記モード、及び、前記第２実体の前記第２モードに基づいて、前記プロセス制御装置の第３モードを判定するステップであって、前記第３モードが、前記プロセス制御装置の状態を示すステップと、更に、
前記プロセス制御装置の前記第３モードを第３グラフィック表記として、前記ユーザ・インターフェース内で表示するステップとを、更に含むことを特徴とする請求項７に記載の方法。
【請求項９】
前記プロセッサーにおいて、前記ユーザ・インターフェースから、前記プロセス制御装置を所望モードにさせる命令を受信するステップと、
前記所望モードに基づいて、前記第１モード要素の前記第１状態を変更するステップと、
前記所望モードに基づいて、前記第２モード要素の前記第２状態を変更するステップと、更に、
前記第１モード要素の前記第１状態を前記プロセス制御装置へ送信して、前記プロセス制御装置に対して、前記実体の稼働状態を変更させるステップとを含むことを特徴とする請求項１〜請求項８の何れか１項に記載の方法。
【請求項１０】
前記所望モードは、正常稼働モードであり、更に、前記第１モード要素の変更後の前記第１状態は、数値、状態、イベント、論理値、または、状況状態の少なくとも１つを含むことを特徴とする請求項９に記載の方法。
【請求項１１】
前記実体は、前記プロセス制御装置の特徴を定義する構成ブロックであることを特徴とする請求項１〜請求項１０の何れか１項に記載の方法。
【請求項１２】
前記プロセス制御装置に関連する前記プロセス制御情報を、前記プロセス制御装置に含まれる前記実体の前記モードを示す第１グラフィック表記も含めて表示するステータス・パネル・グラフィック表記を前記ユーザ・インターフェース内で表示するステップを含み、前記実体の前記モードは、前記実体に関連する状態の組み合わせに基づいており、前記方法は更に、
前記ステータス・パネル・グラフィック表記と隣接し、前記実体からの出力を表示する第２グラフィック表記を含む情報パネル・グラフィック表記を表示するステップも含むことを特徴とする請求項１〜請求項１１の何れか１項方法。
【請求項１３】
前記第１グラフィック表記、及び、前記第２グラフィック表記は、前記第１グラフィック表記、及び、前記第２グラフィック表記の何れかの長さの少なくとも半分に等しい距離を空けて隔てられることを特徴とする請求項１２に記載の方法。
【請求項１４】
前記ステータス・パネル・グラフィック表記内に、前記第１グラフィック表記と隣接する第３グラフィックを表示するステップを、更に含み、前記第３グラフィック表記は、前記プロセス制御装置内に含まれる第２実体のモードを示すことを特徴とする請求項１２又は請求項１３に記載の方法。
【請求項１５】
プロセス制御情報を表示する装置において、
実行時データ受信器を含み、前記実行時データ受信器は、第１モード要素の第１状態を受信するステップであって、前記第１モード要素が、実体の構成ブロックの第１状況を示すステップと、第２モード要素の第２状態を受信するステップであって、前記第２モード要素が、前記構成ブロックの第２状況を示すステップとを実行し、
前記装置は更に、
前記第１状態と前記第２状態に基づいて、前記構成ブロックのモードを判定するモード計算器であって、前記モードが、前記実体の前記構成ブロックの稼働状態を示すモード計算器と、並びに、
前記構成ブロックの前記モードをグラフィック表記として、ユーザ・インターフェース内で表示する表示装置を含むことを特徴とする装置。
【請求項１６】
プロセス制御情報を表示する装置において、
表示装置を含み、前記表示装置は、ステータス・パネル・グラフィック表記、及び、プロセス制御装置に含まれる実体のモードを示す第１グラフィック表記を選択するステップであって、前記実体の前記モードは、前記実体に関連する構成ブロックの状態の組み合わせに基づくステップと、
情報パネル・グラフィック表記、及び、前記実体からの出力を表示する第２グラフィック表記を選択するステップを実行し、
前記装置は更に、
ユーザ・インターフェース内で、前記第１グラフィック表記を含む前記ステータス・パネル・グラフィック表記、及び、前記ステータス・パネル・グラフィック表記と隣接し、前記第２グラフィック表記を含む前記情報パネル・グラフィック表記を表示するプロセッサーを含むことを特徴とする装置。
【請求項１７】
前記表示装置は、前記プロセス制御装置に含まれる第２実体のモードを示す第３グラフィック表記を選択し、前記プロセッサーは、前記ステータス・パネル・グラフィック表記内の前記第１グラフィック表記と隣接して、前記第３グラフィック表記を表示することを特徴とする請求項１６に記載の装置。
【請求項１８】
前記表示装置は、前記モードを特定するテキストを含めることで、前記第１グラフィック表記を作成することを特徴とする請求項１６又は請求項１７に記載の装置。
【請求項１９】
前記表示装置は、記号、色、画像、音声、または、前記モードを視覚的に示す動画の少なくとも１つを含めることで、前記第１グラフィック表記を作成することを特徴とする請求項１６〜請求項１８の何れか１項に記載の装置。
【請求項２０】
機械可読命令を記憶する有形製品において、前記機械可読命令は、実行時に、
第１モード要素の第１状態を受信するステップであって、前記第１モード要素が、プロセス制御装置の実体の現稼働状態を示すステップと、
第２モード要素の第２状態を受信するステップであって、前記第２モード要素が、前記プロセス制御装置の前記実体の所望稼働状態を示すステップと、
前記第１状態と前記第２状態に基づいて、前記実体のモードを判定するステップであって、前記モードが、前記プロセス制御装置の前記実体の状態を示すステップと、更に、
前記プロセス制御装置の前記実体の前記モードをグラフィック表記として、ユーザ・インターフェース内で表示するステップとを少なくとも、機械に対して実行させることを特徴とする有形製品。
【請求項２１】
前記機械可読命令を記憶する有形製品において、前記機械可読命令は、実行時に、
前記プロセス制御装置に関連するプロセス制御情報を、前記プロセス制御装置内に含められる前記実体の前記モードを示す第１グラフィック表記を含めて示すステータス・パネル・グラフィック表記をユーザ・インターフェース内で表示するステップであって、前記実体の前記モードは、前記実体に関連する構成ブロックの状態の組み合わせに基づくステップと、
前記ステータス・パネル・グラフィック表記と隣接して、前記実体からの出力を表示する第２グラフィック表記を含む情報パネル・グラフィック表記を表示するステップと、
前記ステータス・パネル・グラフィック表記、及び、情報パネル（グラフィック表記）と隣接して、ナビゲーション・パネル・グラフィック表記を表示するステップであって、前記ナビゲーション・パネル・グラフィック表記は、前記プロセス制御装置に関連する機能を含むステップを少なくとも、機械に対して実行させることを特徴とする請求項２０に記載の有形製品。
【請求項２２】
前記機械可読命令は、実行時に、前記第１グラフィック表記を、前記第２グラフィック表記から、前記第１グラフィック表記、または、前記第２グラフィック表記の何れかの長さの少なくとも半分に等しい距離を空けて表示するステップを、前記機械に対して実行させることを特徴とする請求項２１に記載の有形製品。
【請求項２３】
前記機械可読命令は、実行時に、前記実体の種類に関連するデータベース内の１組のグラフィック表記を判定して、前記１組（のグラフィック表記）内の前記第１グラフィック表記を前記モード、または、前記実体の少なくとも１つと照合させることで、前記第１グラフィック表記を表示させるステップを、前記機械に対して実行させることを特徴とする請求項２１又は請求項２２に記載の有形製品。